(57)【特許請求の範囲】
【請求項１】
表表紙部と背部と裏表紙部とを備え、表表紙部の内面側にＣＤなどの記録媒体を取り付けた記録媒体用ジャケットにおいて、裏表紙部の内面側に取り付けられた複数等間隔に平行な水平方向の第１切り込みラインを一端縁まで刻切した第２絵柄部を設けた第１切り込みシートと、該裏表紙部の天部若しくは地部に折目を介して開閉可能に連設した前記第１切り込みシート上に重ね合わせられる窓孔シートと、該窓孔シート側の内面に前記折目と平行な折目を介して連設した複数等間隔に平行な傾斜方向の第２切り込みラインを両端縁を残して刻切した第１絵柄部を設けた第２切り込みシートとを備え、該第１切り込みシートと第２切り込みシートとが各々切り込みラインを交差するように互いに差し込まれて重ね合わせられ、該窓孔シートの開閉動作により第１及び第２切り込みシートを互いに相対移動させ、第１絵柄又は第２絵柄のいずれか一方の絵柄を表出できるようにしたことを特徴とする記録媒体用ジャケット。
【請求項２】
前記表表紙部の内面側にＣＤなどの記録媒体を収納保持する収納部を備える請求項１記載の記録媒体用ジャケット。
【発明の詳細な説明】
【０００１】
【発明の属する技術分野】
本発明は、コンパクトディスク、フロッピーディスクなどの薄型記録媒体を収納保持するためのブックタイプの記録媒体用ジャケットに関する。
【０００２】
【従来の技術】
一般的に、楽曲をはじめとする音楽情報や、映画、演劇などの映像情報、あるいはその他音声など各種情報が収録されたコンパクトディスクやフロッピーディスクなどの薄型記録媒体は、広告、販売効果を高めるために、その記録内容を端的に表すタイトルやテーマ名、あるいは記録内容の説明や解説、また著作者や製造販売者などを表示したり、媒体そのものを保護したり、顧客に対して印象良くディスプレイ表示するために、記録媒体用ジャケットに収納保持されている。
【０００３】
この記録媒体用ジャケットとしては、ブックタイプをはじめとして、ボックスケースタイプ、シュリンクフィルムによるシュリンクパックタイプなど各種形態のものが市販され開発されてきている。
【０００４】
【発明が解決しようとする課題】
ところで、記録媒体用ジャケットとして、より広告、販売効果を高めるための要素としては、まず色彩的効果や、キャッチフレーズなどのコピーライト的効果だけでなく、そのジャケット本体に付与された新規な構造的、趣向的仕掛け効果も重要な要素である。
【０００５】
本発明は、ブックタイプの記録媒体用ジャケットにおいて、構造的、趣向的に新規な仕掛けを付与することにより、商品としての記録媒体の広告、販売効果をより一層高めることにある。
【０００６】
【課題を解決するための手段】
本発明の請求項１に係る発明は、表紙部と背部と裏表紙部とを備え、表表紙部の内面側にＣＤなどの記録媒体を取り付けた記録媒体用ジャケットにおいて、裏表紙部の内面側に取り付けられた複数等間隔に平行な水平方向の第１切り込みラインを一端縁まで刻切した第２絵柄部を設けた第１切り込みシートと、該裏表紙部の天部若しくは地部に折目を介して開閉可能に連設した前記第１切り込みシート上に重ね合わせられる窓孔シートと、該窓孔シート側の内面に前記折目と平行な折目を介して連設した複数等間隔に平行な傾斜方向の第２切り込みラインを両端縁を残して刻切した第１絵柄部を設けた第２切り込みシートとを備え、該第１切り込みシートと第２切り込みシートとが各々切り込みラインを交差するように互いに差し込まれて重ね合わせられ、該窓孔シートの開閉動作により第１及び第２切り込みシートを互いに相対移動させ、第１絵柄又は第２絵柄のいずれか一方の絵柄を表出できるようにしたことを特徴とする記録媒体用ジャケットである。
【０００７】
また本発明の請求項２に係る発明は、前記表表紙部の内面側にＣＤなどの記録媒体を収納保持する収納部を備える記録媒体用ジャケットである。
【０００８】
【発明の実施の形態】
本発明の記録媒体用ジャケットを、発明の実施の形態に基づいて以下に詳細に説明すれば、図１（ａ）は本発明の記録媒体用ジャケットＡを表表紙側から見た平面図であり、１は表表紙部、３は背部、Ｃは表表紙部１の内面側に取付け固定されたコンパクトディスク（ＣＤ）、ビデオディスク、フロッピーディスクなど電子データによる情報が記録された薄型の記録媒体である。
【０００９】
また図１（ｂ）はその側面図であり、２は裏表紙部、４は窓孔シートであり、表表紙部１、背部３、裏表紙部２は、それぞれ折目ａ、ｂにより連設され、このように本発明の記録媒体用ジャケットＡは、ブックタイプのジャケットとして形成されており、板紙（ハードペーパー）など紙製シート又はプラスチック製シートなどにより形成されでいる。
【００１０】
前記表表紙部１内面への記録媒体Ｃの取付け固定の仕方、収納保持の仕方については本発明においては特に限定されるものではないが、例えば記録媒体Ｃは、表表紙部１の内面側に両面粘着テープなどで直接的に取付け固定されている。また、例えば表表紙部１の内面側に記録媒体Ｃと同一厚さを有するシートの内側領域を記録媒体Ｃと略同一サイズに切り抜いて形成される枠シート（図示せず）を取付け固定し、その枠シート内側に形成される凹部を収納部として、その収納部内に記録媒体Ｃを収納保持するようにしてもよい。また、その他に表表紙部１の内面側に薄型形状の柔軟性のあるパウチ若しくはハードケース（図示せず）など収納容器を一体的に設け、その容器内に封入収納するようにしてもよい。
【００１１】
図２は、図１に示す記録媒体用ジャケットＡの表表紙部１を折目ａ、ｂを介して矢印方向に開放した（捲った）状態を示す平面図であり、表表紙部１には、記録媒体Ｃが取付け固定されていて、該表表紙部１に背部３を挟んで隣接する裏表紙部２の内面側には、その天部端縁（又は図示しないが地部端縁）に折目ｃを介して窓孔シート４が一体に（又は貼り合わせなどの接合により）連設され、該窓孔シート４の内側領域（略中央部）には窓孔部４ａが貫設されている。
【００１２】
図３は、図２に示す記録媒体用ジャケットＡの裏表示部２上に重ね合わせられている窓孔シート４を、折目ｃを介して裏表示部２の天部端縁より上方に矢印方向に開放した（捲った）状態を示す平面図である。
【００１３】
図示するように裏表紙部２には第１切り込みシート２０が一体に（又は貼り合わせなどの接合により）取り付けられている。例えば図示するように第１切り込みシート２０は、その外端縁が折目２ａを介して裏表紙部２の外端縁に一体に連設され、それと対向する内端縁が裏表紙部２の内端部（折目ｂより裏表紙部２側の端部）に接着剤、粘着剤などにて取付けられている。
【００１４】
また、図示するように窓孔シート４の内面側には、前記折目ｃに対して平行な折目ｄを介して第２切り込みシート４０が一体に（又は貼り合わせなどの接合により）取り付けられている。
【００１５】
なお、第２切り込みシート４０を折目ｄを介して窓孔シート４の内面側に一体に取付ける場合には、裏表紙部２に取り付けられた窓孔シート４を内側と外側の二枚重ね構成とし、内側の窓孔シート４に第２切り込みシート４０を折目ｄを介して連設するようにする。
【００１６】
また、前記裏表紙部２と窓孔シート４と第２切り込みシート４０のそれぞれ接続方式の他の例としては、裏表紙部２と窓孔シート４と第２切り込みシート４０とを、単１枚のシートをそれぞれ前記折目ｃ、ｄ、ｅを介して折り込むことにより形成し、該折目ｃ、ｄ、ｅを介して一体に構成してもよい。
【００１７】
同図３に示すように、第１切り込みシート２０のシート領域２１内には複数等間隔に平行な水平方向の第１切り込みライン２２が一端縁まで刻切されている。
【００１８】
また、同図３に示すように、第２切り込みシート４０のシート領域４１内には複数等間隔に平行な傾斜方向の第２切り込みライン４２が両端縁を残して刻切されている。
【００１９】
そして、第１切り込みシート２０のシート領域２１内には印刷などにより第２絵柄Ｇ２  が施され、第２切り込みシート４０のシート領域４１内には印刷などにより第１絵柄Ｇ１  が施されている。
【００２０】
同図３に示すように、前記第１切り込みシート２０のシート領域２１内にその一端縁まで刻切した水平方向の複数本（図３中では６本）の第１切り込みライン２２により分断された第１切り込みシート２０のそれぞれ分割シート部分は、第２切り込みシート４０のシート領域４１内にその両端部を残して刻切した傾斜方向の複数本（図３中では５本、図６中では６本）のそれぞれ第２切り込みライン４２内に差し込まれている。
【００２１】
図４は、窓孔シート４を折目ｃを介して閉鎖し、裏表紙部２の第１切り込みシート２０上に重ね合わせた状態を示す平面図であり、このように窓孔シート４を折目ｃを介して第１切り込みシート２０上に重ね合わせた際に、窓孔シート４に対して折目ｄを介して接続されている前記第１切り込みシート４０は、平行折目ｃ、ｄの折目離間距離ｒの２倍（２ｒ）の距離だけ、第１切り込みシート２０に対して直線的に下方（折目ｃと直交する直線矢印方向）にスライド移動する。
【００２２】
なお、同図４に示すように、各々第１切り込みライン２２と各々第２切り込みライン４２のそれぞれ折目ｃに対して直交する方向の切り込み離間距離は等しく設定されており、また切り込み離間距離ｓと前記折目離間距離ｒとは、おおよそ等しく設定されている。
【００２３】
そのため、図３に示すように窓孔シート４を開放した状態では、第１切り込みシート２０に施されている第２絵柄Ｇ２  だけが前面に表出され、図４に示すように窓孔シート４を閉鎖した状態では、第２切り込みシート４０に施されている第１絵柄Ｇ１  だけが窓孔部４ａを透して前面に表出される。
【００２４】
図５（ａ）は、第１切り込みシート２０と、そのシート領域２１内に形成される各々第１切り込みライン２２、及び該第１切り込みシート領域２１内の第２絵柄形成領域（一点鎖線で囲まれた領域）内に施された第２絵柄Ｇ２  （例えば蝶など動物の絵柄）の一例を示したものである。
【００２５】
また図５（ｂ）は、第２切り込みシート４０と、そのシート領域４１内に形成される第２切り込みライン４２、及び該第２切り込みシート領域４１内の第１絵柄形成領域（一点鎖線で囲まれた領域）内に施された第１絵柄Ｇ１  （例えば花など植物の絵柄）、及び必要に応じて設ける第２絵柄Ｇ２  （前記第２絵柄Ｇ２  に連続又は関連する絵柄）を形成するための第２絵柄形成領域（一点鎖線で囲まれた斜線領域）、及び必要に応じて設ける第１絵柄Ｇ１  と第２絵柄Ｇ２  とに共通の共通絵柄Ｇ０  （例えば蝶の絵柄と花の絵柄とに連続又は関連する絵柄）を形成するための共通絵柄形成領域の一例を示したものである。
【００２６】
図５（ａ）に示すように、前記各々第１切り込みライン２２は、水平切り込みライン２２ａと、その右端より右斜め上に延びる上向き傾斜切り込みライン２２ｂと、その左端より左斜め下に延びる下向き傾斜切り込みライン２２ｃとにより構成されている。
【００２７】
また図５（ｂ）に示すように、前記各々第２切り込みライン４２は、右斜め上方に傾斜する主傾斜切り込みライン４２ａと、その右端より右斜め下に延びる下向き傾斜切り込みライン４２ｂと、その左端より左斜め上に延びる上向き傾斜切り込みライン４２ｃとにより構成されている。
【００２８】
なお、同図５（ｂ）に示すように、各々第２切り込みライン４２のうち、最下部の第２切り込みライン４２以外は、全てシート領域４１内に形成（例えば５本形成）し、最下部の第２切り込みライン４２は、第２切り込みシート４０のシート領域４１下端縁を利用したものでもよいし、その他の例としては、図６に示すように第２切り込みライン４２を全てシート領域４１内に形成（例えば６本形成）したものでもよい。
【００２９】
図５（ａ）に示す第２絵柄Ｇ２  を形成する第２絵柄形成領域の左右幅、及び図５（ｂ）に示す第１絵柄Ｇ１  を形成する第１絵柄形成領域の左右幅は、窓孔部４ａの左右幅内にそれぞれ第２絵柄Ｇ２  、第１絵柄Ｇ１  が納まる幅であればよく、また、その天地方向の幅（長さ）は、窓孔部４ａの天地方向の幅（長さ）内にそれぞれ第２絵柄Ｇ２  、第１絵柄Ｇ１  が納まる幅であればよい。
【００３０】
なお、第１絵柄Ｇ１  の形成領域の上側に必要に応じて施される三角形状の第２絵柄Ｇ２  形成領域下端から、必要に応じて施される台形状の共通絵柄Ｇ０  形成領域上端までの幅（長さ）は、略２ｒ（折目離間距離ｒの２倍）に設定することが適当であり、また前記三角形状の第２絵柄Ｇ２  形成領域と、前記台形状の共通絵柄Ｇ０  形成領域との境界は最上部の第２切り込みライン４２でよい。
【００３１】
この三角形状の第２絵柄Ｇ２  形成領域内には、前述の第２絵柄Ｇ２  と連続する若しくは関連する絵柄を施すことが適当であり、また、台形状の共通絵柄Ｇ０  形成領域内には、前述のそれぞれ第１絵柄Ｇ１  と第２絵柄Ｇ２  の両方に連続する若しくは関連する絵柄を施すことが適当である。
【００３２】
【発明の効果】
本発明の記録媒体用ジャケットは、ＣＤなど記録媒体を商品として収納保持でき、またその記録媒体の表面を保護することができるだけでなく、ジャケット本体の表面及びその内面側には、適宜彩色や、表題、キャッチフレーズなどコピーライトを付与できて、広告宣伝効果及び販売効果を高めることができるだけでなく、ジャケット本体に新規な構造的、趣向的仕掛けとして第１絵柄と第２絵柄のいずれか一方の絵柄を表出できる変わり絵の仕掛けを付与してあり、ジャケットに保持された記録媒体の商品広告宣伝効果、販売効果をより一層高めることができ、店頭展示効果もより一層高めることができるものである。
【図面の簡単な説明】
【図１】（ａ）は本発明のＣＤジャケットを説明する平面図、（ｂ）はその側面図。
【図２】本発明のＣＤジャケットの表紙を開放した状態を示す平面図。
【図３】本発明の開放したＣＤジャケット内にある窓枠シートを捲った状態を示す平面図。
【図４】本発明の開放したＣＤジャケット内にある窓枠シートを閉鎖した状態を示す平面図。
【図５】（ａ）は本発明のＣＤジャケットにおける第１の切り込みシートを説明する平面図、（ｂ）はそのＣＤジャケットの第２の切り込みシートを説明する平面図。
【図６】本発明のＣＤジャケットにおける第２の切り込みシートの他の例を説明する平面図。
【符号の説明】
ａ、ｂ、ｃ、ｄ…折目
１…表紙部  ２…裏表紙部  ３…背部  ４…窓枠シート  ４ａ…窓部
２０…第１切り込みシート  ２１…第１切り込みシート領域  ２２…第１切り込みライン  ２２ａ…第１切り込み中央ライン  ２２ｂ…第１切り込み端部ライン２２ｃ…第１切り込み端部ライン
４０…第２切り込みシート  ４１…第２切り込みシート領域  ４２…第２切り込みライン  ４２ａ…第２切り込み中央ライン  ４２ｂ…第２切り込み端部ライン
４２ｃ…第２切り込み端部ライン
Ａ…ＣＤジャケット  Ｃ…ＣＤ  Ｇ１  …第１絵柄  Ｇ２  …第２絵柄
【図１】
0003632515.tif 000002
【図２】
0003632515.tif 000003
【図３】
0003632515.tif 000004
【図４】
0003632515.tif 000005
【図５】
0003632515.tif 000006
【図６】
0003632515.tif 000007